(57)【要約】  使い勝手の良い端末装置および映像表示装置を提供する。  放送された映像コンテンツを表示する映像表示装置に対し、映像コンテンツの視聴予約の設定要求を送信する通信処理部と、視聴予約の設定を要求した映像コンテンツの開始時刻を記憶する記憶部と、携帯端末のユーザに情報を提供する情報提供部と、制御部と、を備え、制御部は、映像表示装置が携帯端末の周辺に存在するか否かを判断し、情報提供部に、開始時刻の第１の所定時間前に、開始時刻の第１の所定時間前であることをユーザに通知させ、開始時刻の第２の所定時間前に、映像表示装置が携帯端末の周辺に存在しない場合に、開始時刻の第２の所定時間前であることをユーザに通知させる制御を行う携帯端末を提供する。
2015015581.tif 000002
【特許請求の範囲】
【請求項１】
携帯端末であって
放送された映像コンテンツを表示する映像表示装置に対し、前記映像コンテンツの視聴予約の設定要求を送信する通信処理部と、
前記視聴予約の設定を要求した前記映像コンテンツの開始時刻を記憶する記憶部と、
前記携帯端末のユーザに情報を提供する情報提供部と、
現在の時刻を計測または取得するタイマー部と、
制御部と、を備え、
前記制御部は、
前記映像表示装置が前記携帯端末の周辺に存在するか否かを判断し、
前記情報提供部に、前記開始時刻の第１の所定時間前に、前記開始時刻の第１の所定時間前であることを前記ユーザに通知させ、
前記開始時刻の第２の所定時間前に、前記映像表示装置が前記携帯端末の周辺に存在しない場合に、前記開始時刻の第２の所定時間前であることを前記ユーザに通知させる、制御を行う、
ことを特徴とする携帯端末。
【請求項２】
請求項１に記載の携帯端末において、
前記携帯端末は、操作情報の入力を受け付ける入力部を備え、
前記情報提供部は、映像を出力する出力部を備え、
前記出力部は、前記視聴予約の開始時刻に前記映像表示装置が周辺に存在する場合に、前記映像表示装置をリモート制御操作を受け付けるための操作画面を表示し、
前記通信処理部は、前記操作画面を表示している場合に前記入力部が受け付けたリモート制御操作を指示するための信号を送信すること、を特徴とする携帯端末。
【請求項３】
請求項２に記載の携帯端末において、
前記信号受信部が緊急情報を受信した場合に、前記リモート制御操作を指示するための信号に予め定めた緊急コードを付加して前記映像表示装置に通知することを特徴とする携帯端末。
【請求項４】
請求項２または３に記載の携帯端末において、
前記携帯端末は放送された映像コンテンツを受信し、受信した映像コンテンツを前記出力部で出力可能にする信号受信部を備え、
前記視聴予約の開始時刻に前記映像表示装置が周辺に存在しない場合には、前記出力部は前記信号受信部から入力された前記映像コンテンツを出力すること、を特徴とする携帯端末。
【請求項５】
請求項４に記載の携帯端末において、
視聴予約の実施が重複した際に前記映像表示装置から通知を受ける機能を備え、
前記出力部は、前記視聴予約の開始時刻に前記映像表示装置が周辺に存在し、かつ、前記通知を受け取った場合には、視聴予約された映像コンテンツを出力すること、を特徴とする携帯端末。
【請求項６】
請求項１〜５のいずれか１項に記載の携帯端末において、
有線あるいは無線で映像表示装置とデータを送受信するＬＡＮ通信機能を備え、
前記制御部は、通信圏内に前記映像表示装置が存在しない場合に、前記映像表示装置が周辺に存在しないと判断することを特徴とする携帯端末。
【請求項７】
請求項１〜５のいずれか１項に記載の携帯端末において、
前記携帯端末の位置情報を受信する位置情報受信部を備え、
前記制御部は、前記映像表示装置の位置情報が示す位置と、前記携帯端末の現在の位置情報が示す位置との距離が所定の距離だけ離れている場合に、前記映像表示装置が周辺に存在しないと判断することを特徴とする携帯端末。
【請求項８】
請求項７に記載の携帯端末において、
前記前記第２所定時間前であることを前記ユーザに通知した場合に、第３の所定の時間内に現在の位置情報が示す位置が変化しない場合は再度ユーザに通知すること、を特徴とする携帯端末。
【請求項９】
請求項１〜８のいずれか１項に記載の携帯端末において、
前記第２の所定時間は、前記携帯端末の現在位置から前記映像表示装置まで移動時間であること、を特徴とする携帯端末。
【請求項１０】
請求項１〜９のいずれか１項に記載の携帯端末において、
設定された前記視聴予約毎に優先度を設定し、優先度によりユーザに通知する回数を変更すること、を特徴とする携帯端末。
【請求項１１】
放送された映像コンテンツを受信して復号する信号受信部と、
復号された映像コンテンツを表示する表示部と、
映像コンテンツの視聴予約の要求を携帯端末から受信する通信部と、
映像コンテンツが放送される日時を含む視聴予約の内容を記憶する記憶部と、
制御部と、を備え、
前記制御部は、
前記携帯端末が前記映像表示装置の周辺に存在するか否かを判断し、
視聴予約された映像コンテンツが放送される日時に、当該視聴予約を要求した携帯端末が当該映像表示装置の周辺に存在する場合に、当該視聴予約された映像コンテンツを前記表示部に表示させること、を特徴とする映像表示装置。
【請求項１２】
請求項１１に記載の映像表示装置において、
前記制御部は、第１の視聴予約で指定された映像コンテンツの放送日時と、第２の視聴予約で指定された映像コンテンツの放送日時の一部または全部が重複する場合であって、前記第１の視聴予約を要求した第１の携帯端末が当該映像表示装置の周辺に存在せず、前記第２の視聴予約を要求した第２の携帯端末が当該映像表示装置の周辺に存在する場合は、前記第２の視聴予約で指定される映像コンテンツを前記表示部に表示させること、を特徴とする映像表示装置。
【請求項１３】
請求項１１または１２に記載の映像表示装置において、
前記通信部は、視聴予約された日時に、当該視聴予約を要求した携帯端末が当該映像表示装置の周辺に存在する場合は、当該携帯端末からのみ前記表示部に表示させる映像コンテンツの変更を受け付けることを特徴とする映像表示装置。
【請求項１４】
請求項１３に記載の映像表示装置において、
前記通信部は、視聴予約された日時に、当該視聴予約を要求した携帯端末が当該映像表示装置の周辺に存在する場合であっても、前記放送受信部が緊急情報を受信した場合は、当該携帯端末以外の携帯端末からも前記表示部に表示させる映像コンテンツの変更を受け付けることを特徴とする映像表示装置。
【請求項１５】
請求項１１に記載の映像表示装置において、
前記制御部は、視聴予約された日時に、当該視聴予約を要求した携帯端末が当該映像表示装置の周辺に存在しない場合に、当該映像表示装置の周辺に存在する他の携帯端末に視聴予約の実行を問い合わせるための信号を前記通信部に送信させ、当該他の携帯端末において視聴予約の実行が選択されたことを示す信号を前記通信部が受信した場合は、当該視聴予約された映像コンテンツを前記表示部に表示させることを特徴とする映像表示装置。
【請求項１６】
請求項１１〜１５のいずれか１項に記載の映像表示装置において、
有線あるいは無線で携帯端末とデータを送受信するＬＡＮ通信部を備え、
前記制御部は、前記ＬＡＮ通信部の通信圏内に前記携帯端末が存在するか否かにより、前記携帯端末が周辺に存在するか否かを判定することを特徴とする映像表示装置。
【請求項１７】
請求項１１〜１５のいずれか１項に記載の映像表示装置において、
有線あるいは無線で携帯端末とデータを送受信するＬＡＮ通信部を備え、
前記制御部は、前記携帯端末から送信された前記携帯端末の位置情報を前記ＬＡＮ通信部により受信し、
前記携帯端末の位置情報が示す位置と、前記映像表示装置の位置との距離が所定の距離だけ離れている場合に、前記携帯端末が周辺に存在するか否かを判定することを特徴とする映像表示装置。
【請求項１８】
請求項１１〜１５のいずれか１項に記載の映像表示装置において、
近距離無線通信で携帯端末とデータを送受信する近距離通信部を備え、
近距離無線通信圏内に前記携帯端末が存在するか否かにより、前記携帯端末が周辺に存在するか否かを判定することを特徴とする映像表示装置。
【請求項１９】
請求項１１〜１８のいずれか１項に記載の映像表示装置において、
レンズから入力した光を電気信号に変換して画像データを入力する映像入力部を備え、
前記映像入力部により予め撮影した携帯端末の使用者の顔と、前記視聴予約された日時に周囲を撮影して検出した顔とが一致するか否かで、前記携帯端末が周辺に存在するか否かを判定することを特徴とする映像表示装置。
【請求項２０】
請求項１１〜１９に記載の映像表示装置において、
複数の携帯端末から同一の映像コンテンツの視聴予約の要求を受信した場合であって、当該視聴予約された映像コンテンツの放送日時に当該複数の携帯端末の少なくとも１つが前記映像表示装置の周辺に存在すると判断された場合に、前記予約番組を前記表示部に表示させることを特徴とする映像表示装置。
【発明の詳細な説明】
【技術分野】
【０００１】
本発明は、端末装置および映像表示装置に関するものである。
【背景技術】
【０００２】
本技術分野の背景技術として、特開２００３−３４８５６０号（特許文献１）がある。この公報には、課題として「視聴者がリアルタイムで視聴を希望する番組の視聴機会の喪失を防止する」と記載されている。【０００３】
この課題の解決手段として、「視聴者の放送端末装置から視聴希望番組情報を受け付けて、前記視聴者ごとの視聴希望番組情報を登録する段階と、個々の番組の放送スケジュールに関する番組編成情報に基づいて、前記視聴希望番組情報が示す特定の番組の放送開始時刻を取得する段階と、前記取得した放送開始時刻前の所定の時刻に、前記特定の番組に対する視聴を希望した視聴者の携帯情報端末に放送開始告知メールを送信する段階と、前記番組編成情報に基づく前記放送開始時刻に、前記番組を構成するストリームを送出する段階と、を備える」と記載されている。
【先行技術文献】
【特許文献】
【０００４】
【特許文献１】特開２００３−３４８５６０号公報
【発明の概要】
【発明が解決しようとする課題】
【０００５】
前記特許文献１によれば、視聴予約したユーザは視聴予約した番組をリアルタイムで視聴することができる。しかし、ユーザがメールを受信できない環境にいる場合は放送開始告知メールを受け取れない可能性があった。【０００６】
そこで、本発明の目的は、使い勝手の良い端末装置および映像表示装置を提供することである。
【課題を解決するための手段】
【０００７】
上記課題を解決するために、例えば特許請求の範囲に記載の構成を採用する。【０００８】
本願は上記課題を解決する手段を複数含んでいるが、その一例を挙げるならば、放送された映像コンテンツを表示する映像表示装置に対し、映像コンテンツの視聴予約の設定要求を送信する通信処理部と、視聴予約の設定を要求した映像コンテンツの開始時刻を記憶する記憶部と、携帯端末のユーザに情報を提供する情報提供部と、制御部と、を備え、制御部は、映像表示装置が携帯端末の周辺に存在するか否かを判断し、情報提供部に、開始時刻の第１の所定時間前に、開始時刻の第１の所定時間前であることをユーザに通知させ、開始時刻の第２の所定時間前に、映像表示装置が携帯端末の周辺に存在しない場合に、開始時刻の第２の所定時間前であることをユーザに通知させる制御を行う携帯端末を提供する。
【発明の効果】
【０００９】
本発明によれば、使い勝手の良い端末装置および映像表示装置を提供することができる。【００１０】
上記した以外の課題、構成及び効果は、以下の実施形態の説明により明らかにされる。
【図面の簡単な説明】
【００１１】
【図１】映像表示システムの構成を示す図の例である。
【図２】端末装置の構成を示すブロック図の例である。
【図３】映像表示装置の構成を示すブロック図の例である。
【図４】端末装置の処理を示すフローチャートの例である。
【図５（ａ）】端末装置の画面の表示例である。
【図５（ｂ）】端末装置の画面の表示例である。
【図５（ｃ）】端末装置の画面の表示例である。
【図６】映像表示装置の処理を示すフローチャートの例である。
【図７】端末装置の視聴予約の実施処理を示すフローチャートの例である。
【図８（ａ）】端末装置のスケジューラの例である。
【図８（ｂ）】端末装置のスケジューラの例である。
【図８（ｃ）】映像表示装置の視聴予約データの例である。
【図９】映像表示装置の視聴予約の実施処理を示すフローチャートの例である。
【図１０（ａ）】端末装置の画面の表示例である。
【図１０（ｂ）】端末装置の画面の表示例である。
【図１１】端末装置の視聴予約の実施処理を示すフローチャートの例である。
【図１２】端末装置の予約イベントの通知処理を示すフローチャートの例である。
【図１３】端末装置の予約イベントの通知処理を示すフローチャートの例である。
【図１４】端末装置の予約イベントの通知処理を示すフローチャートの例である。
【図１５】端末装置の処理を示すフローチャートの例である。
【図１６】映像表示装置の処理を示すフローチャートの例である。
【図１７】映像表示装置の視聴予約の実施処理を示すフローチャートの例である。
【図１８】映像表示装置の視聴予約データの例である。
【図１９】映像表示装置の視聴予約の実施処理を示すフローチャートの例である。
【図２０】端末装置の処理を示すフローチャートの例である。
【図２１】映像表示装置の視聴予約の実施処理を示すフローチャートの例である。
【図２２】映像表示装置の視聴予約の実施処理を示すフローチャートの例である。
【図２３】映像表示装置の視聴予約の実施処理を示すフローチャートの例である。
【図２４】映像表示装置の構成を示すブロック図の例である。
【図２５】映像表示装置の視聴予約の実施処理を示すフローチャートの例である。
【図２６】映像表示装置の視聴予約データの例である。
【図２７】映像表示装置の視聴予約の実施処理を示すフローチャートの例である。
【発明を実施するための形態】
【００１２】
以下、図面を用いて実施例を説明する。
【実施例１】
【００１３】
図１は、本発明の第１の実施例の映像表示システムの構成を示す図である。本実施例の映像表示システムは、複数の端末装置１と映像表示装置３とを含む。【００１４】
端末装置１は、電話通信網との通信機能を有しており、他の端末装置等と通話やメールの他、各種情報の送受信を行うことができる。また、無線通信機能を有しており、インターネット網から各種情報の送受信を行うことができる。更に、離れた場所の映像表示装置３の制御（以降、「リモート制御」）を行う機能を有しており、ユーザは、端末装置１を用いて、映像表示装置３のチャンネルや音量などを操作することができる。更に、テレビの映像コンテンツを表示するテレビ視聴機能や、テレビの番組表を基にした視聴予約機能の他、ユーザの時間や日程を管理するスケジュール管理機能などを有している。なお、複数の端末装置１を区別する必要がある場合は、端末装置１ａ、１ｂ、…のように表記する。【００１５】
リモコン２は、映像表示装置３専用の制御装置であり、赤外線などの無線通信方法により映像表示装置３をリモート制御することができる。【００１６】
映像表示装置３は映像コンテンツを受信して表示する装置であり、例えば、放送局５から無線あるいは有線でテレビジョン信号を受信して、当該テレビジョン信号に基づく映像コンテンツを表示することができる。また、映像表示装置３は、ユーザ等によって指定されたＵＲＬ（Ｕｎｉｆｏｒｍ  Ｒｅｓｏｕｒｃｅ  Ｌｏｃａｔｏｒ）のインターネットコンテンツなど、無線ルータ６を介してネットワーク７から受信した映像コンテンツを表示することもできる。このように、映像表示装置３は、特定の放送局５やＵＲＬなど、ユーザ等によって指定された配信元から配信された映像コンテンツを受信し、表示することができる。なお、映像表示装置３は１台に限るものではなく、複数台存在しても良い。【００１７】
基地局４は、端末装置１と無線通信を行い、電話通信網との通話や通信の中継を行う。【００１８】
放送局５は、テレビジョン信号を出力する装置である。【００１９】
無線ルータ６は、Ｗｉ−Ｆｉ（Ｗｉｒｅｌｅｓｓ  Ｆｉｄｅｌｉｔｙ）などの無線ＬＡＮ（Ｌｏｃａｌ  Ａｒｅａ  Ｎｅｔｗｏｒｋ）機能を備え、通信回線を経由してネットワーク７に接続できる。端末装置１や映像表示装置３は、無線ルータ６に接続することによりインターネット網から映像コンテンツや各種情報を入手し、表示することができる。また、無線ルータ６と映像表示装置３を無線で接続した例を示したが、これらを有線で接続しても良い。【００２０】
図２は、図１の端末装置１の構成を示すブロック図である。【００２１】
端末装置１の各部の制御は制御部２００が行う。制御部２００はＣＰＵ（Ｃｅｎｔｒａｌ  Ｐｒｏｃｅｓｓｉｎｇ  Ｕｎｉｔ）あるいは、任意の制御回路や、ＡＳＩＣ（Ａｐｐｒｅｃｉａｔｉｏｎ  Ｓｐｅｃｉｆｉｃ  ＩＣ）等の専用回路、等により構成される。【００２２】
信号受信部２０１はアンテナの他、チューナや復号化回路を含む信号処理回路等により構成されており、放送局５から出力されたテレビジョン信号を受信し、映像、音声やデータを復号して映像表示部２０２や音声出力部２０３に送る。【００２３】
映像表示部２０２は例えば液晶パネルであり、各種情報を表示する。音声出力部２０３は例えばアンプとスピーカによって構成されており、各種音声を出力する。操作部２０４は例えばタッチパッドであり、ユーザによる操作を受け付け、当該操作に基づく指示を制御部２００に伝える。液晶パネルとタッチパッドを組み合わせて一体化したものは一般にタッチパネルと呼ばれ、本実施例でもタッチパネルを使用した例を記載しているが、入力部と表示部が別体となった端末装置であってもよい。【００２４】
記憶部２０５は、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、フラッシュＲＯＭなどにより構成され、端末装置１を制御するためのプログラム、各種設定値などを格納する。【００２５】
ＬＡＮ通信部２０６は例えばＷｉ−Ｆｉなどを使用して、無線ルータ６等を介して映像表示装置３に各種コマンドを送信する。また、映像表示装置３からステータス情報等を受信する。コマンドとは、端末装置１が映像表示装置３のリモート制御を行うための情報であり、例えば、電源のオンとオフの切り換えを指示する電源コマンドや、特定のチャンネルや音量を指示する設定コマンド、視聴予約の設定コマンドなどが含まれる。また、例えば赤外線、Ｗｉ−Ｆｉ  Ｄｉｒｅｃｔ、Ｂｌｕｅｔｏｏｔｈ（登録商標）などを使用して、無線ルータ６等を介さずに映像表示装置３と直接コマンドやステータス情報を送受信しても良い。【００２６】
映像入力部２０７はカメラであり、レンズから入力した光を電気信号に変換することにより周囲や対象物の画像データを入力する。音声入力部２０８はマイクロフォンであり、ユーザの声などを音声データに変換して入力する。近距離通信部２０９は例えばＢｌｕｅｔｏｏｔｈにより近距離無線通信を行い、各種データの入出力を行うものである。ＧＰＳ（Ｇｌｏｂａｌ  Ｐｏｓｉｔｉｏｎｉｎｇ  Ｓｙｓｔｅｍ）部２１０は衛星から電波を受信し、端末装置１の地球上の位置を検出することができる全地球測位システムの受信部である。【００２７】
電話網通信部２１１は、基地局４と無線通信を行い、電話通信網との通信を行う。【００２８】
なお、ＬＡＮ通信部２０６、近距離通信部２０９、電話網通信部２１１は、それぞれ符号回路や復号回路、アンテナ等を備え、ＧＰＳ部２１０は復号回路、アンテナ等を備えるものとする。【００２９】
なお、コマンドを送信する際には端末装置１固有の識別情報も送信する。識別情報としては、端末装置１に個別に付与されるＩＤや電話番号などが適用可能である。また、一般的には一人のユーザが一つの端末装置１を所有することが想定されるため、端末装置１の製造メーカ等によってユーザごとに与えられるユーザＩＤを適用しても良い。この場合、ユーザＩＤは、ユーザの操作等に基づいて端末装置１に事前に記憶される。また、例えばＷｉ−Ｆｉなどの認証により、端末装置１を特定しても良い。【００３０】
図３は、図１の映像表示装置３の構成を示すブロック図である。【００３１】
映像表示装置３の各部の制御は制御部３００が行う。制御部３００はＣＰＵあるいは、任意の制御回路や、ＡＳＩＣ等の専用回路、等により構成される。【００３２】
信号受信部３０１はアンテナの他、チューナや復号化回路を含む信号処理回路等により構成されており、放送局５から出力されたテレビジョン信号を受信し、映像、音声やデータを復号して映像表示部３０２や音声出力部３０３に送る。また、信号受信部３０１は上記信号処理回路等を複数備えており、複数のチャンネルを同時に受信可能である。【００３３】
映像表示部３０２は例えば液晶パネル、プラズマパネルや有機ＥＬ（ＥｌｅｃｔｒｏＬｕｍｉｎｅｓｃｅｎｃｅ）パネルなどによって構成されており、各種映像コンテンツ、および各種情報を表示する。【００３４】
音声出力部３０３は例えばアンプとスピーカによって構成されており、各種音声を出力する。【００３５】
赤外線通信部３０４は例えば赤外線を使用して、専用リモコン２あるいは赤外線信機能を持つ端末装置等から送信された制御コマンドを受信し、その指示を制御部３００に伝える。赤外線以外の方法でリモコン２等と通信を行う場合は、赤外線通信部３０４の名前は適宜変わるが、その機能、動作は同様である。【００３６】
記憶部３０５は、ＲＯＭ、ＲＡＭやフラッシュＲＯＭなどにより構成され、映像表示装置３を制御するためのプログラム、各種設定や映像コンテンツの他、各種コマンドを送信した端末装置１の識別情報などを格納する。また、視聴予約した番組のチャンネル、時間、視聴予約を行った端末装置１の識別情報などを記憶する。なお、ＨＤＤ（Ｈａｒｄ  Ｄｉｓｃ  Ｄｒｉｖｅ）やＢＤ（Ｂｌｕ−ｒａｙ（登録商標）  Ｄｉｓｃ）ドライブのようなストレージを備えても良い。【００３７】
ＬＡＮ通信部３０６は有線あるいは無線で無線ルータ６と接続し、インターネット網などから映像コンテンツなどを受信することができる。また、例えばＷｉ−Ｆｉなどを使用して、無線ルータ６等を介して端末装置１から各種コマンドを受信する。また、端末装置１にステータス情報を送信する。なお、例えば赤外線、Ｗｉ−Ｆｉ  Ｄｉｒｅｃｔ、Ｂｌｕｅｔｏｏｔｈなどを使用して、無線ルータ６等を介さずに端末装置１と直接コマンドやステータス情報を送受信しても良い。【００３８】
図４は、本発明の第１の実施例の端末装置１の処理を示すフローチャートである。このフローチャートは、端末装置１が映像表示装置３をリモート制御する際の処理を示している。【００３９】
ステップＳ４０１において、端末装置１は、ユーザの操作に基づき、映像表示装置３のリモート制御を行うためのアプリケーションソフトウェア（以降、「リモコンアプリ」）が起動されるのを待つ。【００４０】
図５は、端末装置１のタッチパネル式の映像表示部２０２の各種表示例である。端末装置１は各種アプリケーションソフトウェアを起動することにより、各種機能を実行することができる。図５（ａ）は、端末装置１に各種アプリケーションソフトウェアが並んだメニュー画面を示しており、例えばユーザがタッチパネルに表示された「リモコン」ボタンを押すと前記リモコンアプリが起動する。あるいは、「スケジュール」ボタンを押すと、スケジュール管理アプリ（以降、「スケジューラ」）が起動し、「テレビ」ボタンを押すと、テレビ視聴アプリが起動する。【００４１】
ステップＳ４０２において、ユーザの操作に基づいて、端末装置１はリモート制御の対象を選択する。図５（ｂ）は、リモート制御の対象として選択可能な映像表示装置３が２台ある場合の選択画面の表示例である。ここでは、「テレビＡ」が選択されるものとする。【００４２】
リモート制御の対象として映像表示装置３が選択されると、端末装置１は映像表示装置３に対して送信可能な各種指示を表示する。図５（ｃ）は、その際の映像表示装置３の操作画面の表示例である。【００４３】
次に、ステップＳ４０３において、端末装置１はユーザがリモコンアプリを終了するための操作をしたか否かを確認する。端末装置１に表示された「終了」ボタンが押される等のリモコンアプリを終了するための操作がされた場合、端末装置１はメニュー画面を表示する工程に戻る。【００４４】
ステップＳ４０４において、端末装置１はユーザによって電源ボタンが押されたか否かを確認する。端末装置１に表示された「電源」ボタンが押された場合、端末装置１は、電源コマンドと識別情報を映像表示装置３に送信し（ステップＳ４０５）、ステップＳ４０３からの工程を繰り返す。【００４５】
端末装置１に表示された「電源」ボタンが押されていない場合、ステップＳ４０６において、端末装置１はユーザによりリモート制御機能のチャンネル設定ボタンが押されたか否かを確認する。端末装置１に表示された「１」「２」ボタン等のチャンネル設定ボタンが押された場合、ステップＳ４０７に進み、該当するチャンネルの設定コマンドと識別情報を映像表示装置３に送信し、ステップＳ４０３からの工程を繰り返す。【００４６】
端末装置１に表示されたチャンネル設定ボタンが押されていない場合、ステップＳ４０８において、端末装置１は視聴予約設定を指示されたか否かを確認する。視聴予約設定を指示された場合、端末装置１は、指示通りに映像表示装置３に対して視聴予約設定を行うと共に識別情報を送信し（ステップＳ４０９）、視聴予約の予約内容をスケジュールの該当日時に登録し（ステップＳ４１２）、ステップＳ４０３からの工程を繰り返す。視聴予約設定は、例えば端末装置１に表示された「番組表」ボタンを押して、表示された番組表から所望の番組を選択して、視聴予約を設定する。【００４７】
視聴予約設定を指示されていない場合、ステップＳ４１０において、端末装置１はその他のボタンが押されたか否かを確認する。その他のボタンとは、例えば音量の設定ボタンなどである。【００４８】
ユーザが映像表示装置３の設定変更を指示した場合、端末装置１は、映像表示装置３に該当する設定コマンドを送信し（ステップＳ４１１）、ステップＳ４０３からの工程を繰り返す。【００４９】
図６は、本発明の第１の実施例の映像表示装置の処理を示すフローチャートである。このフローチャートは、映像表示装置３が端末装置１にリモート制御される際の処理を示している。【００５０】
ステップＳ６０１において、映像表示装置３は電源コマンドの受信を待つ。電源コマンドを受信したらステップＳ６０２に進み、映像表示装置３の電源を入れる。【００５１】
次に、ステップＳ６０４において、映像表示装置３は再び電源コマンドを受信したか否かを確認する。電源コマンドを受信した場合はステップＳ６０５に進み、映像表示装置３の電源を切って処理を終了し、再度電源コマンドを受信待ちの状態（ステップＳ６０１）に戻る。【００５２】
なお、本実施例では映像表示装置３が電源コマンドを受信する毎に電源オンオフを繰り返す、トグル制御を例として示しているが、電源オンと電源オフのコマンドを分離しても良い。【００５３】
ステップＳ６０４において、映像表示装置３が電源コマンドを受信していない場合はステップＳ６０６に進み、チャンネル設定コマンドを受信したか否かを確認する。チャンネル設定コマンドを受信した場合はステップＳ６０７に進み、指示通りコマンドを実行し、ステップＳ６０４からの工程を繰り返す。【００５４】
また、ステップＳ６０６において、映像表示装置３がチャンネル設定コマンドを受信していない場合はステップＳ６０９に進み、視聴予約コマンドを受信したか否かを確認する。視聴予約コマンドを受信した場合は、映像表示装置３は、視聴予約する時間やチャンネル等の情報を記憶部３０５に記憶することで視聴予約を行い（ステップＳ６１０）、更に端末装置１の識別情報を記憶部３０５に記憶し（ステップＳ６１１）、ステップＳ６０４からの工程を繰り返す。【００５５】
ステップＳ６０９において、映像表示装置３が視聴予約コマンドを受信していない場合は、ステップＳ６１２に進み、その他のコマンドを受信したか否かを確認する。その他のコマンドを受信した場合は、映像表示装置３は、指示通りコマンドを実行し（ステップＳ６１３）、ステップＳ６０４からの工程を繰り返す。その他のコマンドとは、例えば音量設定コマンドなどである。【００５６】
その他のコマンドを受信していない場合は、ステップＳ６０４からの工程を繰り返す。【００５７】
図７は、本発明の第１の実施例の端末装置の視聴予約の実施処理を示すフローチャートである。このフローチャートは、端末装置１のスケジューラに登録した視聴予約の予約時間に到達した際の端末装置１の実施処理を示している。【００５８】
図８は、端末装置１のスケジューラと映像表示装置３の視聴予約データの表示例である。図８（ｃ）は、端末装置１ａと１ｂにより映像表示装置３に登録した視聴予約データの表示例を示し、図８（ａ）は、その際に同時に端末装置１ａに登録したスケジューラ、図８（ｂ）は、その際に同時に端末装置１ｂに登録したスケジューラの表示例を示す。スケジューラはユーザの時間や日程を管理しているため、図８（ａ）、図８（ｂ）に示すように、視聴予約の他に授業や会議などの予定も登録することができる。【００５９】
図８（ｃ）は、端末装置１ａと１ｂにより予約番号１、２、…５が視聴予約された例を示している。例えば予約番号１は端末装置１ａにより地上波デジタル４チャンネルの２０１２音楽祭が視聴予約されたものであり、開始日時は２０１２年１１月１５日の１８時００分、終了日時は２０１２年１１月１５日の２０時００分であることを示している。また、予約番号２は端末装置１ｂにより地上波デジタル放送８チャンネルの天気予報が視聴予約されたものであり、開始日時は２０１２年１１月１５日の１８時３０分、終了日時は２０１２年１１月１５日の１９時００分であることを示している。これらの視聴予約データは、映像表示装置３の記憶部３０５に記憶される。【００６０】
図８（ａ）は、端末装置１ａに登録したスケジューラの一部であり、例えば２０１２年１１月１６日の１４時００分〜１５時００分には代数学の授業があり、２０１２年１１月１６日の１９時００分〜２０時００分にはＢＳ１０１チャンネルのＢＳスポーツが視聴予約されていることを示している。これは図８（ｃ）の予約番号４に対応しており、このスケジューラは、端末装置１ａの記憶部２０５に記憶される。【００６１】
図８（ｂ）は、端末装置１ｂに登録したスケジューラの一部である。このスケジューラは、端末装置１ｂの記憶部２０５に記憶される。【００６２】
図７のステップＳ７０１において、端末装置１ａは視聴予約開始日時の到達を待ち、到達したらステップＳ７０２に進む。ここでは、前記ＢＳ１０１チャンネルのＢＳスポーツの開始日時に到達したものとする。【００６３】
ステップＳ７０２において、この視聴予約を行った映像表示装置３が周辺に存在するか否かにより処理を切り換える。【００６４】
映像表示装置３が端末装置１ａの周辺に存在するか否かは、例えば無線ルータ６の通信圏内に端末装置１ａが存在するか否かで確認できる。また、映像表示装置３とＷｉ−Ｆｉ  Ｄｉｒｅｃｔにより直接通信を行えば、更に正確に確認できる。【００６５】
ステップＳ７０２において、映像表示装置３が端末装置１ａの周辺に存在する場合はステップＳ７０３に進み、映像表示装置３のリモコンアプリを起動して表示する。この時、映像表示装置３は前記ＢＳ１０１チャンネルのＢＳスポーツを表示している。【００６６】
ステップＳ７０２において、映像表示装置３が端末装置１ａの周辺に存在しない場合はステップＳ７０５に進み、視聴予約した前記ＢＳ１０１チャンネルのＢＳスポーツを表示する。この時、映像表示装置３は前記ＢＳ１０１チャンネルのＢＳスポーツを表示していない。【００６７】
次に、ステップＳ７０４において、視聴予約終了日時に到達したか否かを確認する。視聴予約終了日時に到達した場合はステップＳ７０６に進み、映像表示装置３のリモコンアプリあるいは端末装置１のテレビ視聴アプリを終了して、処理を終了する。到達していない場合はステップＳ７０２に戻り、処理を継続する。これにより、端末装置１ａは周辺に映像表示装置３が存在するか否かを、視聴予約終了日時に到達するまで確認し続ける。【００６８】
図９は、映像表示装置３の視聴予約の実施処理を示すフローチャートである。このフローチャートは、端末装置１に設定された視聴予約の予約時間に到達した際の映像表示装置３の実施処理を示している。【００６９】
図９のステップＳ９０１において、視聴予約開始日時の到達を待ち、到達したらステップＳ９０２に進む。ここでは、予約番号４の開始日時に到達したものとする。予約番号４は前記ＢＳ１０１チャンネルのＢＳスポーツの視聴予約に対応している。【００７０】
ステップＳ９０２において、予約番号４の視聴予約を行った端末装置１ａが映像表示装置３の周辺に存在するか否かにより処理を切り換える。【００７１】
端末装置１ａ、１ｂが映像表示装置３の周辺に存在するか否かは、例えば無線ルータ６の通信圏内に端末装置１ａ、１ｂが存在するか否かで確認できる。また、映像表示装置３とＷｉ−Ｆｉ  Ｄｉｒｅｃｔなどにより直接通信を行えば、更に正確に確認できる。【００７２】
ステップＳ９０２において、端末装置１ａが映像表示装置３の周辺に存在する場合はステップＳ９０３に進み、映像表示装置３に視聴予約したＢＳ１０１チャンネルのＢＳスポーツを表示する。電源オフの場合は電源オンにし、電源オンで別の番組を表示している場合はチャンネルをＢＳスポーツに切り換える。【００７３】
次に、ステップＳ９０４において、予約番号４の視聴予約終了日時に到達したか否かを確認する。視聴予約終了日時に到達したら処理を終了し、到達してなければステップＳ９０２に戻り、処理を継続する。これにより、映像表示装置３は周辺に端末装置１ａが存在するか否かを、視聴予約終了日時に到達するまで確認し続ける。【００７４】
ステップＳ９０２において、端末装置１ａが映像表示装置３の周辺に存在しない場合は映像表示装置３に視聴予約したＢＳスポーツを表示しない。【００７５】
なお、視聴予約開始時に電源オフだった場合は、処理を終了する際に電源オフにする。【００７６】
このようにして、例えば予約番号４の開始日時に到達した時に、視聴予約を行った端末装置１ａが映像表示装置３の周辺に存在すれば、視聴予約どおりに映像表示装置３に予約番号４の番組を表示する。視聴予約を行った端末装置１ａが映像表示装置３の周辺に存在しなければ表示せず、代わりに端末装置１ａに表示する。予約番号４の番組は視聴予約終了日時まで表示するが、途中で端末装置１ａが存在しなくなったら、この表示を止め、代わりに端末装置１ａに表示する。逆に、予約番号４の視聴予約開始日時に到達した時に、視聴予約を行った端末装置１ａが映像表示装置３の周辺に存在しなければ、映像表示装置３に予約番号４の番組を表示せず、代わりに端末装置１ａに表示するが、途中で端末装置１ａが存在するようになったらこの表示を止め、代わりに映像表示装置３に表示する。例えば端末装置１ａのユーザは、視聴予約開始日時までに映像表示装置３を設置した自宅に帰れなくても、自宅に帰るまでは端末装置１ａにより視聴予約した番組を視聴でき、自宅に帰った後は、映像表示装置３により続きを視聴することができる。また、映像表示装置３により視聴予約した番組を視聴中に自宅を離れても、端末装置１ａにより続きを視聴することができる。【００７７】
なお、端末装置１ａは、周辺に映像表示装置３が存在する場合に、視聴予約開始日時の直前に予告表示を行っても良い。これにより、自宅にいるユーザに視聴予約したことを思い出させることができる。図１０（ａ）は、その際の映像表示装置３の操作画面の表示例である。また、映像表示装置３が周辺に存在しない場合は、視聴予約した番組を端末装置１ａに表示するか否かをユーザに決定させても良い。これにより、ユーザに自宅外で視聴するか否かを選択させることができる。図１０（ｂ）は、その際の映像表示装置３の操作画面の表示例である。【００７８】
また、本実施例では映像表示装置に視聴予約を行う際に端末装置のスケジューラにも視聴予約を登録する例を示したが、映像表示装置以外にもエアコンや炊飯器などの家電製品に各種イベントの予約、すなわち動作の予約を行う際に端末装置のスケジューラにも視聴予約を登録してもよい。そして、例えばエアコンの冷房動作開始前に端末装置に予告表示を行うことにより、エアコンの動作予約したことをユーザに思い出させることができる。更に、エアコンの動作を予約した時間にこの端末装置がエアコンの周辺に存在すれば、エアコンを動作させて端末装置にはリモコンアプリを表示し、この端末装置がエアコンの周辺に存在しなければエアコンを動作させないことができる。また、例えば炊飯器の炊き上がり後に完了表示を行うことにより、炊飯予約したことをユーザに思い出させることができる。【００７９】
また、本実施例では端末装置が２台の例を示したが、３台以上の場合も同様な動作を行わせることが可能である。【００８０】
以上の構成により本発明の第１の実施例では、端末装置から映像表示装置に視聴予約を行う際に端末装置のスケジューラにも視聴予約を登録する。視聴予約開始の直前に端末装置に予告表示を行うことにより、視聴予約したことをユーザに思い出させることができる。そして、視聴予約した時間にこの端末装置が映像表示装置の周辺に存在すれば、視聴予約した番組を映像表示装置に表示して、端末装置にはリモコンアプリが表示される。視聴予約した時間にこの端末装置が映像表示装置の周辺に存在しなければ、視聴予約した番組は端末装置に表示される。端末装置に表示するか否かはユーザが選択することもできる。【００８１】
また、視聴予約した番組の途中でも端末装置が映像表示装置の周辺に存在するか否かで表示先を切り換えることができる。これにより、視聴予約したユーザが映像表示装置の周辺にいる間だけ映像表示装置の視聴予約を実行し、予約したユーザがいないにも関わらず映像表示装置が番組を表示することを防ぐことができ、更に、視聴予約したユーザが映像表示装置の周辺にいない間は端末装置により視聴予約を実行するため、予約したユーザは端末装置で番組を視聴することができる。
【実施例２】
【００８２】
図１１は、本発明の第２の実施例の端末装置の視聴予約の実施処理を示すフローチャートである。このフローチャートは、端末装置１に登録した視聴予約の予約時間に到達した際の端末装置１の実施処理を示している。【００８３】
ステップＳ１１０１〜ステップＳ１１０６については図７のステップＳ７０１〜ステップＳ７０６と同様である。【００８４】
ステップＳ１１０１において、端末装置１は視聴予約開始日時の到達を待ち、到達したらステップＳ１１０２に進む。ここでは、端末装置１ｂのスケジューラである図８（ｂ）において、地上波デジタル８チャンネルの天気予報の開始日時（２０１２年１１月１５日の１８時３０分）に到達したものとする。【００８５】
ステップＳ１１０２において、映像表示装置３が端末装置１ｂの周辺に存在する場合はステップＳ１１０７に進み、映像表示装置３が前記地上波デジタル８チャンネルの天気予報を表示しているか否か、すなわち当該視聴予約を実行しているか否かで処理を切り換える。【００８６】
映像表示装置３が当該視聴予約を実施中あるいは実施待ちの場合は、ステップＳ１１０３に進み、端末装置１ｂは映像表示装置３のリモコンアプリを起動して表示する。【００８７】
映像表示装置３が当該視聴予約を実施していない場合、あるいは実施待ちでない場合は、ステップＳ１１０５に進み、端末装置１ｂは視聴予約した前記地上波デジタル８チャンネルの天気予報を表示する。【００８８】
映像表示装置３の視聴予約データである図８（ｃ）において、予約番号２の前記地上波デジタル８チャンネルの天気予報は、予約番号１の地上波デジタル４チャンネルの２０１２音楽祭と時間が重複している。予約番号１を視聴予約した端末装置１ａが映像表示装置３の周辺に存在する場合は、映像表示装置３は予約番号１の地上波デジタル４チャンネルの２０１２音楽祭を表示しており、代わりに端末装置１ｂが前記地上波デジタル８チャンネルの天気予報を表示する。予約番号１を視聴予約した端末装置１ａが映像表示装置３の周辺に存在しない場合は、映像表示装置３は予約番号２の前記地上波デジタル８チャンネルの天気予報を表示しており、端末装置１ｂは映像表示装置３の操作アプリを起動して表示する。【００８９】
映像表示装置３が当該視聴予約を実行しているか否かは、例えば映像表示装置３から端末装置１に現在どの視聴予約を実行しているかを通知することにより知ることができる。また、映像表示装置３が出力している映像や音声を端末装置１の映像入力部２０７や音声入力部２０８から入力し、端末装置１で受信した番組の映像や音声と比較することで知ることができる。【００９０】
以上の構成により本発明の第２の実施例では、第１の実施例と同様の効果を得ることができる。【００９１】
更に、視聴予約の重複などにより映像表示装置の視聴予約が実行されず、映像表示装置に視聴予約した番組が表示されない場合は、代わりに端末装置に視聴予約した番組が表示されるため、視聴予約したユーザは端末装置で番組を視聴することができる。
【実施例３】
【００９２】
図１２は、本発明の第３の実施例の端末装置の予約イベントの通知処理を示すフローチャートである。このフローチャートは、端末装置１のスケジューラに予約したイベントの開始時刻に到達する前のアラーム通知処理を示している。イベントは視聴予約の他、会議や食事等何でもよい。【００９３】
ステップＳ１２０１において、端末装置１は現在の位置情報を取得する。位置情報は、例えばＧＰＳやＷｉＦｉを使って取得する。【００９４】
次にステップＳ１２０２において、取得した端末装置１の位置情報が目的地である予約イベントを行う場所の位置情報と一致するか否かで処理を切り換える。なお、予約イベントが視聴予約であれば目的地は映像表示装置３の設置場所となる。映像表示装置３の位置情報は予め端末装置１に登録しておく。例えばユーザの自宅に映像表示装置３が設置されている場合は、自宅の位置情報を登録すればよい。【００９５】
端末装置１と予約イベントを行う場所の位置情報が一致した場合、すなわち視聴予約であればユーザが自宅にいる場合は、ステップＳ１２０３に進み、予約イベント開始時刻に到達したか否かを確認する。予約イベント開始時刻に到達したら処理を終了し、到達してなければステップＳ１２０１に戻り、処理を継続する。【００９６】
ステップＳ１２０２において、端末装置１と予約イベントを行う場所の位置情報が一致しない場合、すなわち視聴予約であればユーザが自宅にいない場合は、ステップＳ１２０４に進み、端末装置１の現在地の位置情報から目的地までの移動経路を検索し、移動時間を算出する。経路が複数ある場合はユーザに選択させてもよく、過去の履歴から決定してもよい。【００９７】
次にステップＳ１２０５において、予約イベント開始日時と移動に要する時間から、現在地からの出発時刻を算出し、ステップＳ１２０６において、算出した出発時刻に到達したか否かで処理を切り換える。出発時刻に到達したらステップＳ１２０７に進み、アラーム等によりユーザに通知し、到達してなければステップＳ１２０１に戻り、処理を継続する。【００９８】
これにより、端末装置１はユーザが予約イベントを行う場所に到達したか否かを、予約イベント開始時刻に到達するまで確認し続け、予約イベントを行う場所に到達していない場合は予約イベント開始時刻に間に合うための出発時刻をユーザに通知する。すなわち、予約イベントが視聴予約であれば目的地は例えば自宅であり、端末装置１はユーザが自宅にいるか否かを、視聴予約開始日時に到達するまで確認し続け、自宅にいない場合は視聴予約開始日時に間に合うための帰宅開始時刻をユーザに通知する。【００９９】
以上の構成により本発明の第３の実施例では、スケジューラに予約したユーザが予約イベントを行う場所に到達していない場合は、端末装置が現在位置からの移動経路を検索し、予約イベント開始時刻に間に合うための出発時刻を通知するため、予約したユーザは確実に予約イベントを実行することができる。予約イベントが視聴予約であれば、視聴予約したユーザが映像表示装置の周辺にいない場合は、端末装置が現在位置からの帰宅経路を検索し、視聴予約開始時刻に間に合うための帰宅開始時刻を通知するため、視聴予約したユーザは確実に映像表示装置で番組を視聴することができる。
【実施例４】
【０１００】
図１３は、本発明の第４の実施例の端末装置の予約イベントの通知処理を示すフローチャートである。このフローチャートは、端末装置１のスケジューラに予約したイベントの開始時刻に到達する前のアラーム通知処理を示している。イベントは視聴予約の他、会議や食事等何でもよい。【０１０１】
ステップＳ１３０１〜ステップＳ１３０６については、図１２のステップＳ１２０１〜ステップＳ１２０６と同様である。【０１０２】
ステップＳ１３０６において、出発時刻に到達したらステップＳ１３０７に進み、アラーム等によりユーザに通知し、ステップＳ１３０８に進み、予め定めた時間内に端末装置１の位置情報が変化したか否か、すなわち一定時間内にユーザが移動開始したか否かで処理を切り換える。一定時間内に移動開始していない場合はステップＳ１３０７に戻り、アラーム等によりユーザに再度通知する。一定時間内に移動開始した場合はステップＳ１３０３に進み、予約イベント開始時刻に到達したか否かを確認する。予約イベント開始時刻に到達したら処理を終了し、到達してなければステップＳ１３０１に戻り、処理を継続する。【０１０３】
以上の構成により本発明の第４の実施例では、第３の実施例と同様の効果を得ることができる。【０１０４】
更に、スケジューラに予約したユーザが予約イベントを行う場所に到達していない場合は、端末装置が現在位置からの移動経路を検索し、予約イベント開始時刻に間に合うための出発時刻を通知してもユーザが移動しない場合は、再通知するため、予約したユーザは確実に予約イベントを実行することができる。予約イベントが視聴予約であれば、視聴予約したユーザが映像表示装置の周辺にいない場合は、端末装置が現在位置からの帰宅経路を検索し、視聴予約開始日時に間に合うための出発時刻を通知してもユーザが移動しない場合は、再通知するため、視聴予約したユーザは確実に映像表示装置で番組を視聴することができる。
【実施例５】
【０１０５】
図１４は、本発明の第５の実施例の端末装置の予約イベントの通知処理を示すフローチャートである。このフローチャートは、端末装置１のスケジューラに予約したイベントの開始時刻に到達する前のアラーム通知処理を示している。イベントは視聴予約の他、会議や食事等何でもよい。【０１０６】
本実施例では予約イベントの優先度によりアラーム通知処理を切り換える。優先度は予約イベント毎に予め登録しておく。あるいはイベントのジャンル毎に予め登録しておいてもよい。ここでは優先度が高、中、低の３段階あるものとする。【０１０７】
ステップＳ１４０１において、予約イベントの優先度が高の場合はステップＳ１４０２に進み、予約イベントの前日の例えばＡＭ１０：００に到達したらステップＳ１４０３に進み、端末装置１はアラーム等によりユーザに通知を行う。【０１０８】
次に、ステップＳ１４０４において、予約イベントの当日の例えばＡＭ１０：００に到達したらステップＳ１４０５に進み、端末装置１はアラーム等によりユーザに通知を行う。【０１０９】
次に、ステップＳ１４０６において、予約イベント開始時刻の例えば５分前に到達したらステップＳ１４０７に進み、端末装置１はアラーム等によりユーザに通知を行う。【０１１０】
ステップＳ１４０１において、予約イベントの優先度が高でない場合はステップＳ１４０８に進み、予約イベントの優先度が中の場合はステップＳ１４０４に進み、予約イベントの優先度が中でない場合、すなわち予約イベントの優先度が低の場合はステップＳ１４０６に進む。【０１１１】
これにより、予約イベントの優先度が高の場合は予約イベントの前日と当日および開始の少し前の３回、端末装置１はアラーム等によりユーザに通知を行う。予約イベントの優先度が中の場合は予約イベントの当日および開始の少し前の２回、端末装置１はアラーム等によりユーザに通知を行う。予約イベントの優先度が低の場合は視聴予約の開始の少し前の１回、端末装置１はアラーム等によりユーザに通知を行う。【０１１２】
なお、優先度が３段階の例を示したが、優先度は２段階でも４段階でもよく、何段階でもよい。また、アラーム等によりユーザに通知する回数が優先度に応じて３、２、１回の例を示したが、４、３、１回でも５、２、１回でもよく、何回でもよい。【０１１３】
以上の構成により本発明の第５の実施例では、端末装置は予約イベントの優先度によりアラーム通知処理を切り換えるため、ユーザは端末装置のスケジューラに予約した通りに確実に各種イベントを実行することができる。予約イベントが視聴予約であれば、端末装置は視聴予約の優先度によりアラーム通知処理を切り換えるため、視聴予約したユーザは確実に映像表示装置で番組を視聴することができる。
【実施例６】
【０１１４】
図１５は、本発明の第６の実施例の端末装置１の処理を示すフローチャートである。このフローチャートは、端末装置１が映像表示装置３をリモート制御する際の処理を示している。【０１１５】
ステップＳ１５０１において、端末装置１は、ユーザの操作に基づき、映像表示装置３のリモート制御を行うためのアプリケーションソフトウェア（以降、「操作アプリ」）が起動されるのを待つ。【０１１６】
図５は、端末装置１のタッチパネル式の映像表示部２０２の各種表示例である。端末装置１は各種アプリケーションソフトウェアを起動することにより、各種機能を実行することができる。図５（ａ）は、端末装置１に各種アプリケーションソフトウェアが並んだメニュー画面を示しており、例えばユーザがタッチパネルに表示された「リモコン」ボタンを押すと前記リモコンアプリが起動する。【０１１７】
ステップＳ１５０２において、ユーザの操作に基づいて、端末装置１はリモート制御の対象とする映像表示装置３を選択する。図５（ｂ）は、リモート制御の対象として選択可能な映像表示装置３が２台ある場合の選択画面の表示例である。ここでは、「テレビＡ」が選択されるものとする。【０１１８】
リモート制御の対象となる映像表示装置３が選択されると、端末装置１は映像表示装置３に対して送信可能な各種指示を表示する。図５（ｃ）は、その際の映像表示装置３の操作画面の表示例である。【０１１９】
次に、ステップＳ１５０３において、端末装置１はユーザが操作アプリを終了するための操作をしたか否かを確認する。端末装置１に表示された「終了」ボタンが押される等の操作アプリを終了するための操作がされた場合、端末装置１はメニュー画面を表示する工程に戻る。【０１２０】
ステップＳ１５０４において、端末装置１はユーザによって電源ボタンが押されたか否かを確認する。端末装置１に表示された「電源」ボタンが押された場合、端末装置１は、電源コマンドと識別情報を映像表示装置３に送信し（ステップＳ１５０５）、ステップＳ１５０３からの工程を繰り返す。【０１２１】
端末装置１に表示された「電源」ボタンが押されていない場合、ステップＳ１５０６において、端末装置１はユーザによりリモート制御機能のチャンネル設定ボタンが押されたか否かを確認する。端末装置１に表示された「１」「２」ボタン等のチャンネル設定ボタンが押された場合、ステップＳ１５０７に進み、該当するチャンネルの設定コマンドと識別情報を映像表示装置３に送信し、ステップＳ１５０３からの工程を繰り返す。【０１２２】
端末装置１に表示されたチャンネル設定ボタンが押されていない場合、ステップＳ１５０８において、端末装置１は視聴予約設定を指示されたか否かを確認する。視聴予約設定を指示された場合、端末装置１は、指示通りに映像表示装置３に対して視聴予約設定を行うと共に識別情報を送信し（ステップＳ１５０９）、ステップＳ１５０３からの工程を繰り返す。【０１２３】
視聴予約設定を指示されていない場合、ステップＳ１５１０において、端末装置１はその他のボタンが押されたか否かを確認する。その他のボタンとは、例えば音量の設定ボタンなどである。【０１２４】
ユーザが映像表示装置３の設定変更を指示した場合、端末装置１は、映像表示装置３に該当する設定コマンドを送信し（ステップＳ１５１１）、ステップＳ１５０３からの工程を繰り返す。【０１２５】
図１６は、本発明の第６の実施例の映像表示装置の処理を示すフローチャートである。このフローチャートは、映像表示装置３が端末装置１にリモート制御される際の処理を示している。【０１２６】
ステップＳ１６０１において、映像表示装置３は電源コマンドの受信を待つ。電源コマンドを受信したらステップＳ１６０２に進み、映像表示装置３の電源を入れる。そして、ステップＳ１６０３において、電源コマンドを受信した際の識別情報を記憶部３０５に記憶しておく。ここでは端末装置１ａの識別情報を受信したものとする。【０１２７】
次に、ステップＳ１６０４において、映像表示装置３は再び電源コマンドを受信したか否かを確認する。電源コマンドを受信した場合はステップＳ１６０５に進み、映像表示装置３の電源を切って処理を終了する。【０１２８】
なお、本実施例では映像表示装置３が電源コマンドを受信する毎に電源オンオフを繰り返す、トグル制御を例として示しているが、電源オンと電源オフのコマンドを分離しても良い。【０１２９】
ステップＳ１６０４において、映像表示装置３が電源コマンドを受信していない場合はステップＳ１６０６に進み、チャンネル設定コマンドを受信したか否かを確認する。チャンネル設定コマンドを受信した場合はステップＳ１６０７に進み、指示通りコマンドを実行する。【０１３０】
次に、ステップＳ１６０８において、チャンネル設定コマンドを受信した際の識別情報が記憶部３０５に記憶された識別情報と一致するか否かを確認する。一致する場合は、映像表示装置３は、ステップＳ１６０４からの工程を繰り返す。【０１３１】
一致しない場合は、映像表示装置３は、識別情報を記憶部３０５に記憶し（ステップＳ１６０９）、ステップＳ１６０４からの工程を繰り返す。ここでは端末装置１ｂの識別情報を受信したものとする。【０１３２】
また、ステップＳ１６０６において、映像表示装置３がチャンネル設定コマンドを受信していない場合はステップＳ１６１０に進み、視聴予約コマンドを受信したか否かを確認する。視聴予約コマンドを受信した場合は、映像表示装置３は、視聴予約する時間やチャンネル等の情報を記憶部３０５に記憶することで視聴予約を行い（ステップＳ１６１１）、更に端末装置１の識別情報を記憶部３０５に記憶し（ステップＳ１６０９）、ステップＳ１６０４からの工程を繰り返す。【０１３３】
ステップＳ１６１０において、映像表示装置３が視聴予約コマンドを受信していない場合は、ステップＳ１６１２に進み、その他のコマンドを受信したか否かを確認する。その他のコマンドを受信した場合は、映像表示装置３は、指示通りコマンドを実行し（ステップＳ１６１３）、ステップＳ１６０４からの工程を繰り返す。その他のコマンドとは、例えば音量設定コマンドなどである。【０１３４】
その他のコマンドを受信していない場合は、ステップＳ１６０４からの工程を繰り返す。【０１３５】
図１７は、本発明の第６の実施例の映像表示装置の視聴予約の実施処理を示すフローチャートである。このフローチャートは、端末装置１に設定された視聴予約の予約時間に到達した際の映像表示装置３の実施処理を示している。【０１３６】
図１８は、映像表示装置３の記憶部３０５に記憶された視聴予約データの構成例である。【０１３７】
視聴予約データは、端末装置から予約番号１、２、３、…の順に予約番号５まで予約された例を示している。例えば予約番号１は端末装置１ａにより番組１が視聴予約されたものであり、番組１は地上波デジタル放送４チャンネル、開始日時は２０１２年１１月１５日の１８時００分、終了日時は２０１２年１１月１５日の２０時００分であることを示している。また、予約番号２は端末装置１ｂにより番組２が視聴予約されたものであり、番組２は地上波デジタル放送８チャンネル、開始日時は２０１２年１１月１５日の１８時３０分、終了日時は２０１２年１１月１５日の１９時００分であることを示している。【０１３８】
図１７のステップＳ１７０１において、視聴予約開始日時の到達を待ち、到達したらステップＳ１７０２に進む。ここでは、予約番号１の開始日時になったものとする。【０１３９】
ステップＳ１７０２において、予約番号１の視聴予約を行った端末装置１ａが映像表示装置３の周辺に存在するか否かにより処理を切り換える。【０１４０】
端末装置１ａ、１ｂが映像表示装置３の周辺に存在するか否かは、例えば無線ルータ６の通信圏内に端末装置１ａ、１ｂが存在するか否かで確認できる。また、映像表示装置３とＷｉ−Ｆｉ  Ｄｉｒｅｃｔにより直接通信を行えば、更に正確に確認できる。【０１４１】
ステップＳ１７０２において、端末装置１ａが映像表示装置３の周辺に存在する場合はステップＳ１７０３に進み、映像表示装置３に視聴予約した番組１を表示する。別の番組を表示している場合は番組１に切り換える。【０１４２】
次に、ステップＳ１７０４において、予約番号１の視聴予約終了日時に到達したか否かを確認する。視聴予約終了日時に到達したら処理を終了し、到達してなければステップＳ１７０２に戻り、処理を継続する。これにより、映像表示装置３は周辺に端末装置１ａが存在するか否かを、視聴予約終了日時に到達するまで確認し続ける。【０１４３】
ステップＳ１７０２において、端末装置１ａが映像表示装置３の周辺に存在しない場合はステップＳ１７０５に進み、次の視聴予約開始日時に到達したか否かを確認する。到達していなければステップＳ１７０４に進み、到達したらステップＳ１７０６に進む。ここでは、予約番号２の開始日時になったものとする。【０１４４】
次に、ステップＳ１７０６において、予約番号２の視聴予約を行った端末装置１ｂが映像表示装置３の周辺に存在するか否かにより処理を切り換える。【０１４５】
端末装置１ｂが映像表示装置３の周辺に存在しない場合はステップＳ１７０４に進み、存在する場合はステップＳ１７０７に進み、映像表示装置３に視聴予約した次の番組２を表示する。別の番組を表示している場合は番組２に切り換える。【０１４６】
次に、ステップＳ１７０８において、予約番号２の視聴予約終了日時に到達したか否かを確認する。視聴予約終了日時に到達したら処理を終了し、ステップＳ１７０４に進む。到達してなければステップＳ１７０６に戻り、処理を継続する。これにより、映像表示装置３は周辺に端末装置１ｂが存在するか否かを、視聴予約終了日時に到達するまで確認し続ける。【０１４７】
このようにして、例えば予約番号１の視聴予約開始日時になった時に、視聴予約を行った端末装置１ａが映像表示装置３の周辺に存在すれば、視聴予約どおりに映像表示装置３に番組１を表示し、存在しなければ番組１を表示しない。視聴予約終了日時まで番組１を表示するが、途中で端末装置１ａが存在しなくなり、次の視聴予約開始日時になった時に、視聴予約を行った端末装置１ｂが映像表示装置３の周辺に存在すれば、映像表示装置３の表示は番組２に切り換わる。番組２に切り換わった後に、端末装置１ａが再び存在しても番組１には切り換わらないが、番組２の終了後であれば切り換わる。【０１４８】
なお、端末装置が２台の例を示したが、３台以上の場合も同様な動作を行わせることは可能である。【０１４９】
以上の構成により本発明の第６の実施例では、視聴予約を行った端末装置が映像表示装置の周辺に存在すれば、視聴予約した番組を映像表示装置に表示し、存在しなければ表示しない。予約が重複した場合は先に表示した方を優先するが、先に表示した番組を予約した端末装置が映像表示装置の周辺に存在しなくなれば、次に視聴予約した番組に切り換わる。これにより、予約したユーザが映像表示装置の周辺にいる間だけ視聴予約を実行するため、予約したユーザがいないにも関わらず他のユーザの視聴を妨げてしまうことを防ぐことができる。
【実施例７】
【０１５０】
図１９は、本発明の第７の実施例の映像表示装置の視聴予約の実施処理を示すフローチャートである。【０１５１】
ステップＳ１９０１〜ステップＳ１９０８については図１７のステップＳ１７０１〜ステップＳ１７０８と同様であるため説明を省略する。【０１５２】
ステップＳ１９０３において、映像表示装置３に視聴予約した番組１を表示したら、次に、ステップＳ１９０９に進み、視聴予約した端末装置１ａからのみチャンネル変更を受け付け、他の端末装置１（例えば端末装置１ｂ）からのチャンネル変更を受け付けないようにする。【０１５３】
また、ステップＳ１９０７において、映像表示装置３に次に視聴予約した番組２を表示したら、次に、ステップＳ１９１０に進み、視聴予約した端末装置１ｂからのみチャンネル変更を受け付け、他の端末装置１（例えば端末装置１ａ）からのチャンネル変更を受け付けないようにする。【０１５４】
また、ステップＳ１９０５において、次の視聴予約開始日時に到達してない場合、あるいは到達していても、ステップＳ１９０６において、予約番号２の視聴予約を行った端末装置１ｂが映像表示装置３の周辺に存在しない場合は、次に、ステップＳ１９１１に進み、全ての端末装置からチャンネル変更を受け付けるようにする。【０１５５】
また、ステップＳ１９０４において、予約番号１の視聴予約終了日時に到達したら、次に、ステップＳ１９１２に進み、全ての端末装置１からチャンネル変更を受け付けるようにしてから、処理を終了する。【０１５６】
このようにして、例えば予約番号１の視聴予約開始日時になった時に、視聴予約を行った端末装置１ａが映像表示装置３の周辺に存在すれば、視聴予約どおりに映像表示装置３に番組１を表示し、存在しなければ番組１を表示しない。番組１を表示した場合は、端末装置１ａからのみチャンネル変更を行うことができる。しかし、途中で端末装置１ａが存在しなくなった場合は、全ての端末装置１からチャンネル変更を行うことができるようになり、更に次の視聴予約開始日時になった時に、視聴予約を行った端末装置１ｂが映像表示装置３の周辺に存在すれば、映像表示装置３の表示は番組２に切り換わる。番組２を表示した場合は、端末装置１ｂからのみチャンネル変更を行うことができる。番組１や番組２の終了後は全ての端末装置１からチャンネル変更を行うことができるようになる。【０１５７】
以上の構成により本発明の第７の実施例では、第６の実施例と同様の効果を得ることができる。【０１５８】
更に、視聴予約の実施処理中は視聴予約した端末装置からのみチャンネル変更を行うことができるため、視聴予約したユーザは自由にチャンネル変更ができ、視聴予約したにも関わらず他のユーザにチャンネル変更されてしまうことを防ぐことができる。
【実施例８】
【０１５９】
図２０は、本発明の第８の実施例の端末装置１の処理を示すフローチャートである。このフローチャートは、端末装置１が映像表示装置３をリモート制御する際の処理を示している。【０１６０】
ステップＳ２００１〜ステップＳ２０１１については図１５のステップＳ１５０１〜ステップＳ１５１１と同様であるため説明を省略する。【０１６１】
ステップＳ２００６において、端末装置１はユーザによりリモート制御機能のチャンネル設定ボタンが押されたか否かを確認する。端末装置１に表示された「１」「２」ボタン等のチャンネル設定ボタンが押された場合、ステップＳ２０１２に進み、端末装置１が緊急災害モードであるか否かを確認する。緊急災害モードでない場合はステップＳ２００７に進み、該当するチャンネルの設定コマンドと識別情報を映像表示装置３に送信し、ステップＳ２００３からの工程を繰り返す。緊急災害モードは例えば端末装置１が緊急災害情報を受信した時に設定され、緊急災害情報としては、緊急地震速報、緊急雷速報、緊急火災速報、緊急津波速報、緊急台風速報、緊急大雨速報、緊急河川氾濫速報、緊急噴火速報等が考えられる。【０１６２】
緊急災害モードである場合は、ステップＳ２０１３に進み、該当するチャンネルの設定コマンドと緊急コードを映像表示装置３に送信し、ステップＳ２００３からの工程を繰り返す。【０１６３】
図２１は、本発明の第８の実施例の映像表示装置３の視聴予約の実施処理を示すフローチャートである。【０１６４】
ステップＳ２１０１〜ステップＳ２１０８については図１７のステップＳ１７０１〜ステップＳ１７０８と同様であるため説明を省略する。【０１６５】
ステップＳ２１０９〜ステップＳ２１１２については図１８のステップＳ１９０９〜ステップＳ１９１２と同様であるため説明を省略する。【０１６６】
ステップＳ２１０３において、映像表示装置３に視聴予約した番組１を表示したら、次に、ステップＳ２１１３に進み、端末装置から緊急コードが送信されたか否かで処理を切り換える。端末装置から緊急コードが送信された場合は、ステップＳ２１１１に進み、チャンネル変更があった場合は全ての端末装置から受け付けるようにする。【０１６７】
端末装置から緊急コードが送信されていない場合は、ステップＳ２１０９に進み、チャンネル変更があった場合は視聴予約した端末装置１ａからのみ受け付け、他の端末装置１（例えば端末装置１ｂ）からのチャンネル変更を受け付けないようにする。【０１６８】
また、ステップＳ２１０７において、映像表示装置３に次に視聴予約した番組２を表示したら、次に、ステップＳ２１１４に進み、端末装置から緊急コードが送信されたか否かで処理を切り換える。端末装置から緊急コードが送信された場合は、ステップＳ２１１５に進み、チャンネル変更があった場合は全ての端末装置から受け付けるようにする。【０１６９】
端末装置から緊急コードが送信されていない場合は、ステップＳ２１１０に進み、チャンネル変更があった場合は視聴予約した端末装置１ｂからのみ受け付け、他の端末装置１（例えば端末装置１ａ）からのチャンネル変更を受け付けないようにする。【０１７０】
このようにして、例えば予約番号１の視聴予約開始日時になった時に、視聴予約を行った端末装置１ａが映像表示装置３の周辺に存在すれば、視聴予約どおりに映像表示装置３に番組１を表示し、存在しなければ番組１を表示しない。番組１を表示した場合は、端末装置１ａからのみチャンネル変更を行うことができる。しかし、端末装置１から緊急コードが送信された場合は、全ての端末装置１からチャンネル変更を行うことができるようになる。あるいは、視聴予約を行った端末装置１ｂが映像表示装置３の周辺に存在して、番組２を表示した場合は、端末装置１ｂからのみチャンネル変更を行うことができる。しかし、端末装置１から緊急コードが送信された場合は、全ての端末装置１からチャンネル変更を行うことができるようになる。【０１７１】
なお、映像表示装置３が携帯端末１から緊急コードを受信する例を示したが、映像表示装置３が緊急災害情報を受信しても良い。【０１７２】
以上の構成により本発明の第８の実施例では、第７の実施例と同様の効果を得ることができる。【０１７３】
更に、視聴予約の実施処理中は視聴予約した端末装置からのみチャンネル変更を行うことができるが、緊急時は他の全ての端末装置からもチャンネル変更することができる。
【実施例９】
【０１７４】
図２２は、本発明の第９の実施例の映像表示装置の視聴予約の実施処理を示すフローチャートである。【０１７５】
ステップＳ２２０１〜ステップＳ２２０８については図１７のステップＳ１７０１〜ステップＳ１７０８と同様であるため説明を省略する。【０１７６】
ステップＳ２２０１において、予約番号１の開始日時に到達し、ステップＳ２２０２において、予約番号１の視聴予約を行った端末装置１ａが映像表示装置３の周辺に存在しない場合、ステップＳ２２０５において、次の視聴予約開始日時に到達したか否かを確認する。到達していなければステップＳ２２１５に進み、視聴予約した番組１に切り換えるか否かを現在視聴中のユーザに選択させる。例えば、映像表示装置３の映像表示部３０２に質問を表示し、端末装置１からの回答を受け付ける。あるいは、映像表示装置３の周辺に存在する端末装置１の映像表示部２０２に質問を表示しても良い。あるいは、映像表示装置３の電源を入れた端末装置１やチャンネルを切り換えた端末装置１の映像表示部２０２に質問を表示しても良い。ユーザが切り換えを選択した場合はステップＳ２２０３に進み、映像表示装置３に視聴予約した番組１を表示する。切り換えを選択しない場合はステップＳ２２０４に進む。【０１７７】
ステップＳ２２０５において、次の視聴予約開始日時に到達し、ステップＳ２２０６において、予約番号２の視聴予約を行った端末装置１ｂが映像表示装置３の周辺に存在しない場合、ステップＳ２２１６に進み、視聴予約した番組２に切り換えるか否かを現在視聴中のユーザに選択させる。ユーザが切り換えを選択した場合はステップＳ２２０７に進み、映像表示装置３に視聴予約した番組１を表示する。切り換えを選択しない場合はステップＳ２２０４に進む。【０１７８】
なお、視聴予約した番組に切り換えるか否かの質問に対して、一定時間内に回答がない場合は番組を切り換えない。また、ステップＳ２２１５、Ｓ２２１６において、視聴予約した番組１、番組２に切り換えた後はユーザに質問しないようにする。【０１７９】
このようにして、例えば予約番号１の視聴予約開始日時になった時に、視聴予約を行った端末装置１ａが映像表示装置３の周辺に存在すれば、視聴予約どおりに映像表示装置３に番組１を表示し、存在しなければ現在視聴中のユーザが番組１に切り換えるか否かを選択することができる。同様に、予約番号２の視聴予約開始日時になった時に、視聴予約を行った端末装置１ｂが映像表示装置３の周辺に存在すれば、視聴予約どおりに映像表示装置３に番組２を表示し、存在しなければ現在視聴中のユーザが番組２に切り換えるか否かを選択することができる。【０１８０】
以上の構成により本発明の第９の実施例では、第６の実施例と同様の効果を得ることができる。【０１８１】
更に、視聴予約を行った端末装置が映像表示装置の周辺に存在しなくても、現在視聴中のユーザが選択すれば視聴予約を実行することができる。これにより、予約したユーザが不在でも、他のユーザが希望すれば視聴予約した番組を視聴することができる。
【実施例１０】
【０１８２】
図２３は、本発明の第１０の実施例の映像表示装置の視聴予約の実施処理を示すフローチャートである。【０１８３】
ステップＳ２３０１〜ステップＳ２３０８については図１７のステップＳ１７０１〜ステップＳ１７０８と同様であるため説明を省略する。【０１８４】
ステップＳ２３０１において、予約番号１の開始日時に到達し、ステップＳ２３０２において、予約番号１の視聴予約を行った端末装置１ａが映像表示装置３の周辺に存在する場合、ステップＳ２３１７に進み、視聴予約した番組１に切り換えるか否かを端末装置１ａのユーザに質問する。映像表示装置３の映像表示部３０２に質問を表示し、端末装置１ａからの回答のみを受け付ける。あるいは、端末装置１ａの映像表示部２０２に質問を表示しても良い。端末装置１ａのユーザが切り換えを選択した場合はステップＳ２３０３に進み、映像表示装置３に視聴予約した番組１を表示する。切り換えを選択しない場合はステップＳ２３０４に進む。【０１８５】
ステップＳ２３０５において、次の視聴予約開始日時に到達し、ステップＳ２３０６において、予約番号２の視聴予約を行った端末装置１ｂが映像表示装置３の周辺に存在する場合、ステップＳ２３１８に進み、視聴予約した番組２に切り換えるか否かを端末装置１ｂのユーザに選択させる。例えば、映像表示装置３の映像表示部３０２に質問を表示し、端末装置１ｂからの回答のみを受け付ける。あるいは、端末装置１ａの映像表示部２０２に質問を表示しても良い。端末装置１ｂのユーザが切り換えを選択した場合はステップＳ２３０７に進み、映像表示装置３に視聴予約した番組２を表示する。切り換えを選択しない場合はステップＳ２３０４に進む。【０１８６】
なお、視聴予約した番組に切り換えるか否かの質問に対して、一定時間内に回答がない場合は番組を切り換える。また、視聴予約した番組１、番組２に切り換えた後は、再度ステップＳ２３１７、Ｓ１２３１８に進んでもユーザに質問しない。【０１８７】
このようにして、例えば予約番号１の視聴予約開始日時になった時に、視聴予約を行った端末装置１ａが映像表示装置３の周辺に存在すれば、端末装置１ａのユーザのみが番組１に切り換えるか否かを選択することができる。同様に、予約番号２の視聴予約開始日時になった時に、視聴予約を行った端末装置１ｂが映像表示装置３の周辺に存在すれば、端末装置１ｂのユーザのみが番組２に切り換えるか否かを選択することができる。【０１８８】
以上の構成により本発明の第１０の実施例では、第６の実施例と同様の効果を得ることができる。【０１８９】
更に、視聴予約を行った端末装置が現在視聴中の番組と視聴予約した番組を選択して視聴することができる。
【実施例１１】
【０１９０】
図２４は、映像表示装置２４０の構成を示すブロック図である。【０１９１】
制御部２５０、信号受信部２４１、映像表示部２４２、音声出力部２４３、赤外線通信部２４４、記憶部２４５、ＬＡＮ通信部２４６については、図３の映像表示装置３の制御部３００、信号受信部３０１、映像表示部３０２、音声出力部３０３、赤外線通信部３０４、記憶部３０５、ＬＡＮ通信部３０６と同等であるため説明を省略する。【０１９２】
映像入力部２４７はカメラであり、レンズから入力した光を電気信号に変換することにより周囲や対象物の画像データを入力する。音声入力部２４８はマイクロフォンであり、ユーザの声などを音声データに変換して入力する。近距離通信部２４９は例えばＢｌｕｅｔｏｏｔｈにより近距離無線通信を行い、各種データの入出力を行うものである。ＧＰＳ部２５１は衛星からの電波を受信し、映像表示装置２４０の地球上の位置を検出することができるものである。【０１９３】
なお、近距離通信部２４９は符号回路や復号回路、アンテナ等を備え、ＧＰＳ部２５１は復号回路、アンテナ等を備えるものとする。【０１９４】
実施例６と同様に、例えば予約番号１の視聴予約開始日時になった時に、視聴予約を行った端末装置１ａが映像表示装置２４０の周辺に存在すれば、視聴予約どおりに映像表示装置２４０に番組１を表示し、存在しなければ番組１を表示しない。視聴予約終了日時まで番組１を表示するが、途中で端末装置１ａが存在しなくなり、次の視聴予約開始日時になった時に、視聴予約を行った端末装置１ｂが映像表示装置２４０の周辺に存在すれば、映像表示装置２４０の表示は番組２に切り換わる。番組２に切り換わった後に、端末装置１ａが再び存在しても番組１には切り換わらないが、番組２の終了後であれば切り換わる。【０１９５】
端末装置１ａ、１ｂが映像表示装置２４０の周辺に存在するか否かは、例えばＷｉ−ＦｉなどＬＡＮ通信圏内に端末装置１ａ、１ｂが存在するか否かで確認できる。【０１９６】
あるいは、端末装置１ａ、１ｂのＧＰＳ部２１０と映像表示装置２４０のＧＰＳ部２５１により、各々の位置を検出することにより確認できる。予め端末装置１ａ、１ｂが映像表示装置２４０へのＧＰＳ情報の送信を許可しておき、映像表示装置２４０は端末装置１ａ、１ｂから送信されたＧＰＳ情報と自機のＧＰＳ情報を比較して、周辺に存在するか否かを判定する。【０１９７】
あるいは、端末装置１ａ、１ｂの近距離通信部２９と映像表示装置２４０の近距離通信部２４９により確認できる。映像表示装置２４０の近距離無線通信圏内に端末装置１ａ、１ｂが存在するか否かで、周辺に存在するか否かを判定する。【０１９８】
あるいは、端末装置１ａ、１ｂの映像入力部２４７により、顔検出を行うことにより確認できる。予め映像表示装置２４０の映像入力部２４７で端末装置１ａ、１ｂのユーザの顔を撮影し、端末装置１ａ、１ｂに関連付けて記憶部２４５に記憶しておき、映像表示装置２４０は視聴予約日時に周囲を撮影して顔検出し、検出した顔情報が記憶部２４５に記憶した顔情報と一致するか否かで、周辺に存在するか否かを判定する。【０１９９】
特に顔検出により確認する場合は、映像表示装置を視聴しているか否かを正確に判定できるため、別の部屋にいて視聴予約したことを忘れていた場合にも正しく判定可能である。【０２００】
以上の構成により本発明の第１１の実施例では、第６の実施例と同様の効果を得ることができる。【０２０１】
更に、ＬＡＮ通信、ＧＰＳ受信、近距離無線通信、顔検出などを利用して、あるいはこれらを組み合わせて端末装置が映像表示装置の周辺に存在するか否かを正確に判定することができる。
【実施例１２】
【０２０２】
図２５は、本発明の第１２の実施例の映像表示装置の視聴予約の実施処理を示すフローチャートである。このフローチャートは、端末装置１に設定された視聴予約の予約時間に到達した際の映像表示装置２４０の実施処理を示している。【０２０３】
図２６は、映像表示装置２４０の記憶部３０５に記憶された視聴予約データの構成例である。【０２０４】
視聴予約データは、端末装置から予約番号１、２、３、…の順に予約番号５まで予約された例を示している。例えば予約番号３は複数の端末装置１ａと１ｂにより番組１が視聴予約されたものであり、番組３は地上波デジタル放送１チャンネル、開始日時は２０１２年１１月１５日の２１時００分、終了日時は２０１２年１１月１５日の２２時００分であることを示している。【０２０５】
図２５のステップＳ２５０１において、視聴予約開始日時の到達を待ち、到達したらステップＳ２５１２に進む。ここでは、予約番号３の開始日時になったものとする。【０２０６】
ステップＳ２５１２において、予約番号３の視聴予約を行った端末装置１ａ、１ｂが１台でも映像表示装置２４０の周辺に存在するか否かにより処理を切り換える。少なくとも端末装置１ａあるいは１ｂが映像表示装置２４０の周辺に存在する場合はステップＳ２５０３に進み、映像表示装置２４０に視聴予約した番組３を表示する。別の番組を表示している場合は番組３に切り換える。【０２０７】
次にステップＳ２５１５において、予約番号３の視聴予約を行った端末装置１ａ、１ｂが全て映像表示装置２４０の周辺に存在するか否かにより処理を切り換える。端末装置１ａ、１ｂが共に存在する場合はステップＳ２５０４に進み、予約番号３の視聴予約終了日時に到達したか否かを確認する。視聴予約終了日時に到達したら処理を終了し、到達してなければステップＳ２５１２に戻り、処理を継続する。これにより、映像表示装置２４０は周辺に端末装置１ａ、１ｂが存在するか否かを、視聴予約終了日時に到達するまで確認し続ける。【０２０８】
ステップＳ２５１２において、端末装置１ａ、１ｂが共に存在しない場合はステップＳ２５１６に進み、予約番組３を録画する。【０２０９】
また、ステップＳ２５１５において、端末装置１ａあるいは１ｂのみが存在する場合もステップＳ２５１６に進み、予約番組１を録画する。【０２１０】
このようにして、例えば予約番号３の視聴予約開始日時になった時に、視聴予約を行った端末装置１ａ、１ｂの少なくとも１つが映像表示装置２４０の周辺に存在すれば、視聴予約どおりに映像表示装置２４０に番組３を表示し、少なくとも１つが存在しなければ番組３を録画する。【０２１１】
端末装置１ａ、１ｂが映像表示装置２４０の周辺に存在するか否かは、ＬＡＮ通信、ＧＰＳ受信、近距離無線通信、顔検出などにより確認できる。【０２１２】
なお、端末装置が２台の例を示したが、３台以上の場合も同様な動作を行わせることは可能である。【０２１３】
以上の構成により本発明の第１２の実施例では、第６の実施例と同様の効果を得ることができる。【０２１４】
更に、複数の端末装置から同一の予約番組を設定した場合に、少なくとも１つが映像表示装置の周辺に存在すれば、予約番組を表示し、少なくとも１つが存在しなければ予約番組を録画するため、予約した端末装置のユーザが確実に視聴することができる。
【実施例１３】
【０２１５】
図２７は、本発明の第１３の実施例の映像表示装置の視聴予約の実施処理を示すフローチャートである。このフローチャートは、端末装置１に設定された視聴予約の予約時間に到達した際の映像表示装置２４０の実施処理を示している。【０２１６】
ステップＳ２７０１において、視聴予約開始日時の到達を待ち、到達したらステップＳ２７０２に進む。ここでは、予約番号１の開始日時になったものとする。【０２１７】
ステップＳ２７０２において、予約番号１の視聴予約を行った端末装置１ａが映像表示装置２４０の周辺に存在するか否かにより処理を切り換える。端末装置１ａが映像表示装置２４０の周辺に存在する場合はステップＳ２７１２に進み、端末装置１ａのユーザが映像表示装置２４０を視聴しているか否かを確認する。例えば、端末装置１ａが映像表示装置２４０の周辺に存在するか否かは、ＬＡＮ通信、ＧＰＳ受信、近距離無線通信などにより確認し、端末装置１ａのユーザが映像表示装置２４０を視聴しているか否かは、顔検出により確認する。【０２１８】
ステップＳ２７１２において、予約番号１の視聴予約を行った端末装置１ａのユーザが映像表示装置２４０を視聴している場合はステップＳ２７０３に進み、映像表示装置２４０に視聴予約した番組１を表示する。別の番組を表示している場合は番組１に切り換える。端末装置１ａのユーザが映像表示装置２４０を視聴していない場合はステップＳ２７１３に進み、視聴予約した番組の開始時刻になったことを端末装置１ａに通知する。【０２１９】
次に、ステップＳ２７０４において、予約番号１の視聴予約終了日時に到達したか否かを確認する。視聴予約終了日時に到達したら処理を終了し、到達してなければステップＳ２７０２に戻り、処理を継続する。これにより、映像表示装置１４は周辺に端末装置１ａが存在するか否かを、視聴予約終了日時に到達するまで確認し続ける。【０２２０】
このようにして、例えば予約番号１の視聴予約開始日時になった時に、視聴予約を行った端末装置１ａが映像表示装置２４０の周辺に存在し、端末装置１ａのユーザが映像表示装置２４０を視聴している場合は、視聴予約どおりに映像表示装置２４０に番組１を表示し、視聴していない場合は視聴予約した番組の開始時刻になったことを端末装置１ａに通知する。【０２２１】
以上の構成により本発明の第１３の実施例では、第６の実施例と同様の効果を得ることができる。【０２２２】
更に、視聴予約開始日時になった時に、視聴予約を行った端末装置のユーザが映像表示装置の周辺に存在していながら視聴していない場合は、視聴予約した番組の開始時刻になったことを当該端末装置に通知することにより、当該端末装置のユーザが確実に視聴することができる。【０２２３】
なお、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。【０２２４】
また、上記の各構成、機能、処理部、処理手段等は、それらの一部又は全部を、例えば集積回路で設計する等によりハードウェアで実現しても良い。また、上記の各構成、機能等は、プロセッサがそれぞれの機能を実現するプログラムを解釈し、実行することによりソフトウェアで実現しても良い。各機能を実現するプログラム、テーブル、ファイル等の情報は、メモリや、ハードディスク、ＳＳＤ（Ｓｏｌｉｄ  Ｓｔａｔｅ  Ｄｒｉｖｅ）等の記録装置、または、ＩＣカード、ＳＤカード等の記録媒体に置くことができる。【０２２５】
また、制御線や情報線は説明上必要と考えられるものを示しており、製品上必ずしも全ての制御線や情報線を示しているとは限らない。実際には殆ど全ての構成が相互に接続されていると考えても良い。
【符号の説明】
【０２２６】
１…端末装置、２…リモコン、３…映像表示装置、５…放送局、６…無線ルータ、７…ネットワーク、２００…制御部、２０１…信号受信部、２０２…映像表示部、２０３…音声出力部、２０４…操作部、２０５…記憶部、２０６…ＬＡＮ通信部、２０７…映像入力部、２０８…音声入力部、２０９…近距離通信部、２１０…ＧＰＳ部、３００…制御部、３０１…信号受信部、３０２…映像表示部、３０３…音声出力部、３０４…赤外線通信部、３０５…記憶部、３０６…ＬＡＮ通信部
【図１】
2015015581.tif 000003
【図２】
2015015581.tif 000004
【図３】
2015015581.tif 000005
【図４】
2015015581.tif 000006
【図５（ａ）】
2015015581.tif 000007
【図５（ｂ）】
2015015581.tif 000008
【図５（ｃ）】
2015015581.tif 000009
【図６】
2015015581.tif 000010
【図７】
2015015581.tif 000011
【図８（ａ）】
2015015581.tif 000012
【図８（ｂ）】
2015015581.tif 000013
【図８（ｃ）】
2015015581.tif 000014
【図９】
2015015581.tif 000015
【図１０（ａ）】
2015015581.tif 000016
【図１０（ｂ）】
2015015581.tif 000017
【図１１】
2015015581.tif 000018
【図１２】
2015015581.tif 000019
【図１３】
2015015581.tif 000020
【図１４】
2015015581.tif 000021
【図１５】
2015015581.tif 000022
【図１６】
2015015581.tif 000023
【図１７】
2015015581.tif 000024
【図１８】
2015015581.tif 000025
【図１９】
2015015581.tif 000026
【図２０】
2015015581.tif 000027
【図２１】
2015015581.tif 000028
【図２２】
2015015581.tif 000029
【図２３】
2015015581.tif 000030
【図２４】
2015015581.tif 000031
【図２５】
2015015581.tif 000032
【図２６】
2015015581.tif 000033
【図２７】
2015015581.tif 000034
【手続補正書】
【提出日】平成28年1月14日(2016.1.14)
【手続補正１】
【補正対象書類名】特許請求の範囲
【補正対象項目名】全文
【補正方法】変更
【補正の内容】
【特許請求の範囲】
【請求項１】
携帯端末であって
放送された映像コンテンツを表示する映像表示装置に対し、前記映像コンテンツの視聴予約の設定要求を送信する通信処理部と、
前記視聴予約の設定を要求した前記映像コンテンツの開始時刻を記憶する記憶部と、
前記携帯端末のユーザに情報を提供する情報提供部と、
制御部と、を備え、
前記制御部は、
前記映像表示装置が前記携帯端末の周辺に存在するか否かを判断し、
前記情報提供部に、前記開始時刻の第１の所定時間前に、前記開始時刻の第１の所定時間前であることを前記ユーザに通知させ、
前記開始時刻の第２の所定時間前に、前記映像表示装置が前記携帯端末の周辺に存在しない場合に、前記開始時刻の第２の所定時間前であることを前記ユーザに通知させる、制御を行う、
ことを特徴とする携帯端末。
【請求項２】
請求項１に記載の携帯端末において、
前記携帯端末は、操作情報の入力を受け付ける入力部を備え、
前記情報提供部は、映像を出力する出力部を備え、
前記出力部は、前記視聴予約の開始時刻に前記映像表示装置が周辺に存在する場合に、前記映像表示装置をリモート制御操作を受け付けるための操作画面を表示し、
前記通信処理部は、前記操作画面を表示している場合に前記入力部が受け付けたリモート制御操作を指示するための信号を送信すること、を特徴とする携帯端末。
【請求項３】
請求項２に記載の携帯端末において、
信号受信部が緊急情報を受信した場合に、前記リモート制御操作を指示するための信号に予め定めた緊急コードを付加して前記映像表示装置に通知することを特徴とする携帯端末。
【請求項４】
請求項２または３に記載の携帯端末において、
前記携帯端末は放送された映像コンテンツを受信し、受信した映像コンテンツを前記出力部で出力可能にする信号受信部を備え、
前記視聴予約の開始時刻に前記映像表示装置が周辺に存在しない場合には、前記出力部は前記信号受信部から入力された前記映像コンテンツを出力すること、を特徴とする携帯端末。
【請求項５】
請求項４に記載の携帯端末において、
視聴予約の実施が重複した際に前記映像表示装置から通知を受ける機能を備え、
前記出力部は、前記視聴予約の開始時刻に前記映像表示装置が周辺に存在し、かつ、前記通知を受け取った場合には、視聴予約された映像コンテンツを出力すること、を特徴とする携帯端末。
【請求項６】
請求項１〜５のいずれか１項に記載の携帯端末において、
有線あるいは無線で映像表示装置とデータを送受信するＬＡＮ通信機能を備え、
前記制御部は、通信圏内に前記映像表示装置が存在しない場合に、前記映像表示装置が周辺に存在しないと判断することを特徴とする携帯端末。
【請求項７】
請求項１〜５のいずれか１項に記載の携帯端末において、
前記携帯端末の位置情報を受信する位置情報受信部を備え、
前記制御部は、前記映像表示装置の位置情報が示す位置と、前記携帯端末の現在の位置情報が示す位置との距離が所定の距離だけ離れている場合に、前記映像表示装置が周辺に存在しないと判断することを特徴とする携帯端末。
【請求項８】
請求項７に記載の携帯端末において、
前記第２の所定時間前であることを前記ユーザに通知した場合に、第３の所定の時間内に現在の位置情報が示す位置が変化しない場合は再度ユーザに通知すること、を特徴とする携帯端末。
【請求項９】
請求項１〜８のいずれか１項に記載の携帯端末において、
前記第２の所定時間は、前記携帯端末の現在位置から前記映像表示装置まで移動時間であること、を特徴とする携帯端末。
【請求項１０】
請求項１〜９のいずれか１項に記載の携帯端末において、
設定された前記視聴予約毎に優先度を設定し、優先度によりユーザに通知する回数を変更すること、を特徴とする携帯端末。
【請求項１１】
放送された映像コンテンツを受信して復号する信号受信部と、
復号された映像コンテンツを表示する表示部と、
映像コンテンツの視聴予約の要求を携帯端末から受信する通信部と、
映像コンテンツが放送される日時を含む視聴予約の内容を記憶する記憶部と、
制御部と、を備え、
前記制御部は、
前記携帯端末が映像表示装置の周辺に存在するか否かを判断し、
視聴予約された映像コンテンツが放送される日時に、当該視聴予約を要求した携帯端末が当該映像表示装置の周辺に存在する場合に、当該視聴予約された映像コンテンツを前記表示部に表示させること、を特徴とする映像表示装置。
【請求項１２】
請求項１１に記載の映像表示装置において、
前記制御部は、第１の視聴予約で指定された映像コンテンツの放送日時と、第２の視聴予約で指定された映像コンテンツの放送日時の一部または全部が重複する場合であって、前記第１の視聴予約を要求した第１の携帯端末が当該映像表示装置の周辺に存在せず、前記第２の視聴予約を要求した第２の携帯端末が当該映像表示装置の周辺に存在する場合は、前記第２の視聴予約で指定される映像コンテンツを前記表示部に表示させること、を特徴とする映像表示装置。
【請求項１３】
請求項１１または１２に記載の映像表示装置において、
前記通信部は、視聴予約された日時に、当該視聴予約を要求した携帯端末が当該映像表示装置の周辺に存在する場合は、当該携帯端末からのみ前記表示部に表示させる映像コンテンツの変更を受け付けることを特徴とする映像表示装置。
【請求項１４】
請求項１３に記載の映像表示装置において、
前記通信部は、視聴予約された日時に、当該視聴予約を要求した携帯端末が当該映像表示装置の周辺に存在する場合であっても、前記信号受信部が緊急情報を受信した場合は、当該携帯端末以外の携帯端末からも前記表示部に表示させる映像コンテンツの変更を受け付けることを特徴とする映像表示装置。
【請求項１５】
請求項１１に記載の映像表示装置において、
前記制御部は、視聴予約された日時に、当該視聴予約を要求した携帯端末が当該映像表示装置の周辺に存在しない場合に、当該映像表示装置の周辺に存在する他の携帯端末に視聴予約の実行を問い合わせるための信号を前記通信部に送信させ、当該他の携帯端末において視聴予約の実行が選択されたことを示す信号を前記通信部が受信した場合は、当該視聴予約された映像コンテンツを前記表示部に表示させることを特徴とする映像表示装置。
【請求項１６】
請求項１１〜１５のいずれか１項に記載の映像表示装置において、
有線あるいは無線で携帯端末とデータを送受信するＬＡＮ通信部を備え、
前記制御部は、前記ＬＡＮ通信部の通信圏内に前記携帯端末が存在するか否かにより、前記携帯端末が周辺に存在するか否かを判定することを特徴とする映像表示装置。
【請求項１７】
請求項１１〜１５のいずれか１項に記載の映像表示装置において、
有線あるいは無線で携帯端末とデータを送受信するＬＡＮ通信部を備え、
前記制御部は、前記携帯端末から送信された前記携帯端末の位置情報を前記ＬＡＮ通信部により受信し、
前記携帯端末の位置情報が示す位置と、前記映像表示装置の位置との距離が所定の距離だけ離れている場合に、前記携帯端末が周辺に存在するか否かを判定することを特徴とする映像表示装置。
【請求項１８】
請求項１１〜１５のいずれか１項に記載の映像表示装置において、
近距離無線通信で携帯端末とデータを送受信する近距離通信部を備え、
近距離無線通信圏内に前記携帯端末が存在するか否かにより、前記携帯端末が周辺に存在するか否かを判定することを特徴とする映像表示装置。
【請求項１９】
請求項１１〜１８のいずれか１項に記載の映像表示装置において、
レンズから入力した光を電気信号に変換して画像データを入力する映像入力部を備え、
前記映像入力部により予め撮影した携帯端末の使用者の顔と、前記視聴予約された日時に周囲を撮影して検出した顔とが一致するか否かで、前記携帯端末が周辺に存在するか否かを判定することを特徴とする映像表示装置。
【請求項２０】
請求項１１〜１９に記載の映像表示装置において、
複数の携帯端末から同一の映像コンテンツの視聴予約の要求を受信した場合であって、当該視聴予約された映像コンテンツの放送日時に当該複数の携帯端末の少なくとも１つが前記映像表示装置の周辺に存在すると判断された場合に、前記視聴予約の番組を前記表示部に表示させることを特徴とする映像表示装置。
【国際調査報告】
2015015581.tif 000035
2015015581.tif 000036
2015015581.tif 000037